(57)【要約】【課題】  円形木枠を分割した状態で加工して、円形に組み立てできるようにする。【解決手段】  素材矩形板を台形に切断し、次いで扇形に切断してピースとし、一方端部に凹部を加工し、他方端部に凸部を加工し、その後、塗装し、乾燥し、その後に前記ピースの複数個を円形に組み付けする。また、素材矩形板を台形に切断し、次いで扇形に切断してピースとし、扇形部材の半数において、各部材の一端および他端に凹部を加工し、他の半数において、各部材の一端および他端に凸部を加工し、その後、塗装し、乾燥し、その後に前記ピースの偶数個を円形に組み付けする。凹凸嵌合部の上側に接合部材が取り付けられる。扇形部材の端部で前記凹凸部を避けた縁部に面取り部が形成されてもよい。【選択図】        図６
2011018584.tif 000002
【特許請求の範囲】
【請求項１】
素材矩形板を台形に切断し、次いで扇形に切断してピースとし、一方端部に凹部を加工し、他方端部に凸部を加工し、その後、塗装し、乾燥し、その後に前記ピースの複数個を円形に組み付けする照明器具用円形木枠の製造方法。
【請求項２】
素材矩形板を台形に切断し、次いで扇形に切断してピースとし、
扇形部材の半数において、各部材の一端および他端に凹部を加工し、他の半数において、各部材の一端および他端に凸部を加工し、その後、塗装し、乾燥し、その後に前記ピースの偶数個を円形に組み付けする照明器具用円形木枠の製造方法。
【請求項３】
前記ピース接合部の上側に接合部材を取り付ける請求項１または２記載の照明器具用円形木枠の製造方法。
【請求項４】
木材板が扇形加工され、扇形部材の一端に凹部、他端に凸部が設けられ、塗装されたものの複数個が、凹部と凸部で嵌合されて円形に組みつけられてなる照明器具用円形木枠。
【請求項５】
木材板が扇形加工され、扇形部材の半数において、各部材の一端および他端に凹部が設けられ、他の半数において、各部材の一端および他端に凸部が設けられ、塗装されたものの偶数個が、凹部と凸部で嵌合されて円形に組みつけられてなる照明器具用円形木枠。
【請求項６】
凹凸嵌合部の上側に接合部材が取り付けられた請求項４または５記載の照明器具用円形木枠。
【請求項７】
扇形部材の端部で前記凹凸部を避けた縁部に面取り部が形成された請求項４または５または６記載の照明器具用円形木枠。
【発明の詳細な説明】
【技術分野】
【０００１】
本発明は、照明器具に使用する円形飾り木枠およびその製造方法に関する。
【背景技術】
【０００２】
近年、生活様式の多様化，利便性および住空間の経済性等により住居内の部屋はフローリング主体となり、なかでも部屋の主照明である天井直付け灯は、高周波安定器，環形細管蛍光ランプの開発等の技術革新により扁平円形型グローブ器具（お供え餅を上下逆にしたような形）が主流になっている。このような中にあって、器具メーカーは扁平円形型グローブ器具（以降プロトタイプという）をベースにして、そのグローブにワンポイントの飾りを付加したり、また、その周囲にドーナツ型の飾り枠体をあしらって、その飾り枠体に種々のデザインを凝らし、他社との差別化，優位性，有益性を競い合い、鎬を削っている。
【０００３】
そして、従来の枠体の加工方法は次の通りである。
１．木材の板厚，板幅を定め、板材を台形状に切断する（図1）。
２．台形状の板８個を接着加工によりつなぎ合わせ、正八角形の形にする（図2）。
３．冶具に固定し、ゆっくり回転させながら、外内径の切削加工を施して、円形状に加工する（図3，４）。
４．仕上げ加工として、面取りや磨き等を施す。
５．塗装処理をして仕上げる。
なお、国産の木材は量が少なく高価であり、人件費等を考慮すると、外国で製作することになり、枠体完成品として、輸入に頼っているのが現状である。
なお、本出願人は先に照明器具の笠に関し開発出願している（特許文献１）。
【先行技術文献】
【特許文献】
【０００４】
【特許文献１】特開２００８−２５８０７４号公報
【発明の概要】
【発明が解決しようとする課題】
【０００５】
前記の飾り枠体はそのほとんどが木製であり、合成樹脂製のものは極めて少ない。合成樹脂製にすると、大きな金型が必要となり、膨大な開発費がかかる。また、流行変化の激しい多機種少量生産の現状では採算に合わない。しかし、木工加工であれば、加工機の刃の形状や内外形を定める冶具や中心位置の変更等で対応ができるため、材料費や加工費は樹脂製に比べ割高になるが、多機種少量生産の現状には合致している。
【０００６】
輸入していることを前提にして、次にこれらの問題点を説明する。
（１）加工工程の最後に塗装を行うと、木材表面が塗料を吸収することになるが、木材の部位，育ち方，水分含有率等々により、塗料の吸収力に差が生じるため、同色の塗料にも拘らず仕上がった色調は違って見える。木材は金属やプラスチックと違い生きているため、枠体加工の途中では分からない。従って、この差が余り大きいものは商品にならない。
このことは、８個の部材（ピース）のうち、１箇所でもあれば、８ピース全てが無駄（不良品）となる。また、コンテナに収納されてトラック便や船便で輸送中およびアセンブリ（灯具への組み込み）工程中でキズが発生した場合も同様である。これは１ピースの不良が８ピースの不良となることになり、不良が８倍に拡大したことになり、修理、再生ができず非常に無駄であり、当然、コストに跳ね返る。
【０００７】
（２）輸送は輸入であるため、コンテナに収納されてトラックや船で運ばれる。コンテナは角型で容積は有限で自由が効かない。円形枠を縦にして荷作りすると、接着部が破壊され易い。輸送される枠体は円形で外径が大きいため（６００〜９００ｍｍのものが主流）、占有率が下がり、輸送費を押し上げることになる。
【０００８】
本発明は上記課題を解決し、円形木枠を分割した状態で加工し、その後、円形に組み立てできるようにした照明器具用円形木枠およびその製造方法を提供することを目的とする。
【課題を解決するための手段】
【０００９】
本発明の課題解決手段の第１の方法は、素材矩形板を台形に切断し、次いで扇形に切断してピースとし、一方端部に凹部を加工し、他方端部に凸部を加工し、その後、塗装し、乾燥し、その後に前記ピースの複数個を円形に組み付けすることである。
【００１０】
本発明の課題解決手段の第２の方法は、素材矩形板を台形に切断し、次いで扇形に切断してピースとし、扇形部材の半数において、各部材の一端および他端に凹部を加工し、他の半数において、各部材の一端および他端に凸部を加工し、その後、塗装し、乾燥し、その後に前記ピースの偶数個を円形に組み付けすることである。
これらの手段には、第１または、第２手段に加え、前記ピース接合部の上側に接合部材を取り付ける場合がある。
【００１１】
第３の木枠は、木材板が扇形加工され、扇形部材の一端に凹部、他端に凸部が設けられ、塗装されたものの複数個が、凹部と凸部で嵌合されて円形に組みつけられてなる。
【００１２】
第４の木枠は、木材板が扇形加工され、扇形部材の半数において、各部材の一端および他端に凹部が設けられ、他の半数において、各部材の一端および他端に凸部が設けられ、塗装されたものの偶数個が、凹部と凸部で嵌合されて円形に組みつけられてなる。
【００１３】
これらの木枠は、第３または第４の木枠に加え、凹凸嵌合部の上側に接合部材が取り付けられた場合がある。また、上記の木枠に加え、扇形部材の端部で前記凹凸部を避けた縁部に面取り部が形成された場合がある。
【発明の効果】
【００１４】
本発明では、木材加工は枠を複数のピースに分割した状態のピースを作製し、その状態で塗装仕上げまでを行う。これで色調差がでても、多くの部材（ピース）の中から色調の合ったものを選べばよいことになるので、不良品も激減する。また、疵等の不良についても、不良ピースのみを取り除けばよいので、ロス率は激減する。同様に輸送については、円形から扇形にすることによって、無駄なスペースが減り、１枠分当たりの輸送コストは３分の１〜４分の１となることが期待できる。
【００１５】
この分割方式をとることによって、扇形加工時に四隅に面取り加工した場合、各ピースが各々独立しているように見えるため、高級感，高加工度感を与えるデザインが可能になった。
【図面の簡単な説明】
【００１６】
【図１】従来技術の説明図である。
【図２】従来技術の説明図である。
【図３】従来技術の説明図である。
【図４】従来技術の説明図である。
【図５】本発明の一実施例のピースの斜視図である。
【図６】本発明の一実施例の枠の斜視図である。
【図７】接合部材を取付けた枠の断片的斜視図である。
【図８】面取り加工した枠の斜視図である。
【図９】長尺板材からピースを切断して枠を作る説明図である。
【図１０】長尺板材からピースを切断して枠を作る説明図である。
【図１１】長尺板材からピースを切断して枠を作る説明図である。
【図１２】ピースをＮＣ加工機で加工する説明図である。
【図１３】ピースをＮＣ加工機で加工する説明図である。
【図１４】ピースをＮＣ加工機で加工する説明図である。
【発明を実施するための形態】
【００１７】
以下に本発明の一実施例を図面に基づき説明する。
図５，６のように、本発明では各ピース同志の接着を止め、枠体の一部分である１ピース１を加工するとき、全体形状を扇形に切削し、片側には凹部１ａを加工し、反対側に凸部１ｂを加工する。そして、８ピースを付き合わせて円形枠とし、各々の凹部１ａと凸部１ｂを嵌合できるようにする。
【００１８】
その後、図７のように、接合部材（金属板またはプラスチック製品）２を木ネジ等により、取り付け組み上げれば、固定できる。また、デザイン的に板厚の厚い場合は、接合部材を使用しなくても、組み上げは可能である。
【００１９】
以上のように、木材加工は全体の８分の１にあたる１ピースを作製し、その状態で塗装仕上げまでを行う。これで色調差がでても、多くの部材（ピース）の中から色調の合ったものを選べばよいことになるので、不良品も激減する。
【００２０】
また、疵等の不良についても、不良ピースのみを取り除けばよいので、ロス率は８分の１以下になる。同様に輸送については、円形から扇形にすることによって、無駄なスペースが減り、１台分当たりの輸送コスト（円形１個対扇形８個）は３分の１〜４分の１となることが期待できる。
【００２１】
図８のように、この分割方式をとることによって、扇形加工時に四隅に面取り部１ｃ（丸み付け）などの面取り加工をすることで、８ピースが各々独立しているように見える。このため、高級感，高加工度感（多くの手間を掛け細工する）を与えるデザインが可能になった。（従来の方式では、加工的に複雑になりすぎ、コスト的にも無理がある。）
【００２２】
さて、図９において、枠が８個のピースからなる正八角形からなるものを作る場合は次のようになる。長尺板材Ａから枠の１ピース１に対応する部分を切断して用意する。このとき先ず、板取りは次のようになる。８個のピースで正八角形の境界線Ｌ１を明示して枠を描く。次に、境界線をもとに、凹部１ａと凸部１ｂに対応する線を描く。そして、凸部１ｂの端面に対応した部分に、前記境界線に平行な切断線Ｌ２を描く。そして、この切断線Ｌ２と前記境界線Ｌ１および、扇形の中心線Ｌ０とそれに直交する扇形外縁の外接線Ｌ３と、扇形内縁の両端を通る内直線Ｌ４で囲まれる範囲の台形片Ａ０を決める。
【００２３】
そして、この範囲のものを１枚の長尺板材Ａに対し、罫書きする。その後、この線に沿ってノコギリで切断する。この切断片Ａ０に対し、扇形外縁および扇形内縁の線に沿って、フライス盤で加工する。次に、凸部１ｂに対応する部分はノコギリで加工する。凹部１ａに対応する部分はノミで加工する。その後、このピース１に塗装し、乾燥する。その後、凹部１ａ，凸部１ｂを嵌合させて、8個のピースで円形枠を作る。そして、凹凸嵌合部の上側に接合部材２が取り付けられて、枠は完成する。
【００２４】
このようにして、木材板Ａが扇形加工され、両端部に嵌合凹凸１ａ，１ｂが設けられ、塗装されたものが、嵌合凹凸で嵌合されて組みつけられてなる照明器具用円型木枠が得られる。ここで、この実施例は扇形部材の一端に凹部１ａ、他端に凸部１ｂが設けられているものである。
【００２５】
図１０，１１は他の実施例を示し、扇形部材の半数において、各部材の一端および他端に凹部１ａが設けられ、他の半数において、各部材の一端および他端に凸部１ｂが設けられているものである。即ち、図１０において、枠が８個のピースからなる正八角形からなるものを作る場合は次のようになる。長尺板材Ａから枠の１ピース１に対応する部分を切断して用意する。このとき先ず、板取りは次のようになる。８個のピースで正八角形の境界線Ｌ１を明示して枠を描く。次に、境界線をもとに、凸部１ｂに対応する線を描く。そして、凸部の端面に対応した部分に、前記境界線に平行な切断線Ｌ２を描く。
【００２６】
そして、この切断線Ｌ２と前記境界線Ｌ１および、扇形の中心線Ｌ０とそれに直交する扇形外縁の外接線Ｌ３と、扇形内縁の両端を通る内直線Ｌ４で囲まれる範囲の台形片Ａ０を決める。
【００２７】
そして、この範囲のものを１枚の長尺板材Ａに対し、罫書きする。その後、この線に沿ってノコギリで切断する。この切断片Ａ０に対し、扇形外縁および扇形内縁の線に沿って、フライス盤で加工する。次に、凸部１ｂに対応する部分はノコギリで加工する。これで両端に凸部１ｂを持つピース１が出来上がる。
【００２８】
図１１において、また、両端に凹部１ａを持つピース１は次のように加工される。即ち、枠が８個のピースからなる正八角形からなるものを作る場合は次のようになる。長尺板材Ａから枠の１ピース１に対応する部分を切断して用意する。このとき先ず、板取りは次のようになる。８個のピースで正八角形の境界線Ｌ１を明示して枠を描く。次に、境界線をもとに、凹部１ａに対応する線を描く。そして、前記境界線Ｌ１および、扇形の中心線Ｌ０とそれに直交する扇形外縁の外接線Ｌ３と、扇形内縁の両端を通る内直線Ｌ４で囲まれる範囲の台形片Ａ０を決める。
【００２９】
そして、この範囲のものを１枚の長尺板材Ａに対し、罫書きする。その後、この線に沿ってノコギリで切断する。この切断片Ａ０に対し、扇形外縁および扇形内縁の線に沿って、フライス盤で加工する。次に、凹部１ｂに対応する部分はノミで加工する。これで、両端に凹部１ａを持つピース１が出来上がる。
【００３０】
その後、このピース１に塗装し、乾燥する。その後、凹部１ａ，凸部１ｂを嵌合させて、8個のピースで円形枠を作る。そして、凹凸嵌合部の上側に接合部材２が取り付けられて、枠は完成する。
【００３１】
次に、機械加工によって円形木枠を製造する実施例を説明する。
前記図９に準じて、電動ノコギリで得られた台形の切断片Ａ０をＮＣミーリング機にセットし、図１２（斜視図）のように．ＮＣの自動制御により外形を扇形に切り出す。図の上側が裏面、下側が表面である。このときのミーリング刃の径は、凸部１ｂの面取り部Ｒの曲率半径を小さくするため、少し細い６〜８ｍｍ程度ものを使用する。一般の加工時は１６〜２０ｍｍ程度とし、板厚が薄いため、問題にはならない。
【００３２】
図１３（斜視図）のように、その後、一連の自動加工の一動作として、指定した寸法だけミーリング機のベッドを下げる。図の上側が表面、下側が裏面である。そして、同様に凹部１ａの加工が行われる。次に、図１４（斜視図）のように、上記まで仕上がったものをブレンナーに表裏反転してセットし、図１３で加工した凹部１ａの深さと同じ厚みになるように、凸部１ｂ加工する。図の上側が表面、下側が裏面である。
【００３３】
その後、このピース１に塗装し、乾燥する。その後、凹部１ａ，凸部１ｂを嵌合させて、8個のピースで円形枠を作る。そして、凹凸嵌合部の上側に接合部材２が取り付けられて、枠は完成する。
【００３４】
本発明は前記した実施例や実施態様に限定されず、特許請求の精神および範囲を逸脱せずに種々の変形を含む。
【産業上の利用可能性】
【００３５】
本発明は、照明器具用円形木枠およびその製造方法に利用される。
【符号の説明】
【００３６】
Ａ  長尺体
Ａ０  台形片
１  ピース
１ａ  凹部
１ｂ  凸部
１ｃ  面取り部
２  接合部材
Ｌ０  扇形中心線
Ｌ１  境界線
Ｌ２  切断線
Ｌ３  外接線
Ｌ４  内直線
【図１】
2011018584.tif 000003
【図２】
2011018584.tif 000004
【図３】
2011018584.tif 000005
【図４】
2011018584.tif 000006
【図５】
2011018584.tif 000007
【図６】
2011018584.tif 000008
【図７】
2011018584.tif 000009
【図８】
2011018584.tif 000010
【図９】
2011018584.tif 000011
【図１０】
2011018584.tif 000012
【図１１】
2011018584.tif 000013
【図１２】
2011018584.tif 000014
【図１３】
2011018584.tif 000015
【図１４】
2011018584.tif 000016